(57)【要約】【課題】ペットと一緒に散歩をしていると道路や公園などでペットが排便することがあるので、飼主はマナーとして糞を持ち返えるためにスコップやビニール袋を持ち歩かなくてはならないが、スコップだと携帯に不便でリードを持つ手とで両手がふさがってしまうため危険だし、ビニール袋だとポケットに携帯しやすいが袋越しに糞に触るため不快だし、そもそも散歩の時にスコップやビニール袋を家に忘れてしまうと糞を持ち返ることができない。【解決手段】本発明は、厚紙などの板材の片方をすぼめて丸めたケースをマジックテープ（登録商標）などでリードに取り付けて、厚紙などの板材の一部に切れ目を設けて持ち手をすぼめて丸めたスコップをケースに収納し、ケースとスコップでポケット状になった中央の空間に袋を収納してペットの散歩の時に携帯してから、糞を取る時はスコップを取り出して袋に廃棄し、ストラップでリードに取り付けた持ち返り具に袋を取り付けて持ち返る。【選択図】図７
2015198622.tif 000002
【特許請求の範囲】
【請求項１】
板材を丸めて作ったケースに、板材に持ち手の切れ目を設けて丸めて作ったスコップと丸めた袋の両方を収納して持ち歩ける構造を特長とする糞取り具。
【請求項２】
ストラップまたはマジックテープ（登録商標）を使ってリードに取り付けて、リードを持つ片手だけでペットの散歩に出かけられ、ペットの排便時にスコップを素早く取り出せて、ペットから直接糞を受けることで排便場所を汚すことがない構造を特長とする請求事項１の糞取り具。
【請求項３】
ストラップを使ってリードにフックの付いた持ち返り具を取り付けて、糞を入れた袋を持ち返り具に取り付けて持ち返ることで、リードを持つ片手だけでペットを散歩できる構造を特長とする請求事項２の糞取り具。
【請求項４】
水溶性の紙または厚紙でできたスコップと、水溶性の紙またはビニールでできた袋からなる構造を特長とする請求事項３の糞取り具。
【発明の詳細な説明】
【技術分野】
【０００１】
本発明は、主に犬などのペットの散歩時にペットが排便した糞を持ち返るために使用する、糞取り具に関するものである。
【背景技術】
【０００２】
ペットと一緒に散歩をしていると道路や公園などでペットが排便することがあるので、飼主は小さなスコップや専用の道具を使用したりビニール袋に入れて糞を持ち返るのが一般的である。
【０００３】
糞を収容する収容部が複数の分割体により形成され、この分割体の少なくとも一つを他の分割体と離接させることで前記収容部を開閉させるようになっている糞回収器において、前記収容部を開放した開口部分が紙で覆われる状態となるように紙を係止させる紙係止手段が、その離接させる分割体のそれぞれに設けられていることを特徴とする糞回収器が知られている（特許文献１参照）。
【０００４】
処理袋１を水解紙にて形成しバクテリヤ等を含有させると共に、扁平な有底袋の前後面板７，８に左右側部折線９とそれぞれ平行な角筒形成用折線１１を各面板の夫々に形成し、該左右側部折線９を内方へ押圧することによって前後面板７，８の左右端板部１５を内方へ撓曲して角筒体を形成保持し、前後面板７，８を押圧することにより該左右端板部１５を復元して上記扁平体を形成するよう構成し、更に前後面板７，８の何れか一方の開口端縁からペット糞を袋内に誘導するペット糞導入板１７を連設した紙製ペット糞処理袋が知られている（特許文献２参照）。
【０００５】
展開形状が細長の略矩形形状からなり、長手方向中央部に背部（１）を設け、その両側に切り込み部（２ａ、２ｂ、２ｃ、２ｄ）を入れ、山折り部（３ａ、３ｂ）にて折り曲げてアーム部（４ａ、４ｂ）を形成し、アーム部両側を内側に折り曲げて、アームリブ（５ａ、５ｂ、５ｃ、５ｄ）を形成した。必要に応じて、背部（１）の長手方向両側を内側に折り曲げて、背リブ（１１ａ、１１ｂ）を設け、アーム先端部付近のアームリブ部を部分的に切り欠き挟持爪部（６ａ、６ｂ、６ｃ、６ｄ）を設け、アーム部を長手方向中央部に谷折り部（７ａ、７ｂ）を設けた紙製掴み取り具が知られている（特許文献３参照）。
【０００６】
本体（１）に接着テープ（２）を設け、接着テープ（２）の部分を本体（１）に貼付したことを特徴とするペットの糞取り具が知られている（特許文献４参照）。
【０００７】
汚物処理袋１は、犬の糞等の汚物を捕集するために使用される水溶性の汚物捕集部材２と、捕集した汚物を汚物捕集部材ごと収容する水溶性の汚物収容部材３とが略直線状のミシン目５によって分離可能に結合して構成されている。また、汚物捕集部材２には、互いに係合して汚物捕集部材をＵ字形状にならしめる切れ込み４が、ミシン目５から離れた位置の外縁に形成されている。また、汚物収容部材３のミシン目５付近に貫通孔６が形成されている。ミシン目５に沿って汚物捕集部材２と汚物収容部材３とを分離し、汚物捕集部材２に形成された切れ込み４同士を係合させて、汚物捕集部材２をＵ字形状と成し、スコップですくうようにＵ字形状と成した汚物捕集部材２で糞７をすくう汚物処理袋が知られている（特許文献５参照）。
【先行技術文献】
【特許文献】
【０００８】
【特許文献１】特開２０００−０１４２６６号公報
【特許文献２】特開２０００−３４２０９７号公報
【特許文献３】特開２００２−３６００９９号公報
【特許文献４】特開２００４−０７３１６４号公報
【特許文献５】特開２００７−１５９５３８号公報
【発明の概要】
【発明が解決しようとする課題】
【０００９】
ペットと一緒に散歩をしていると道路や公園などでペットが排便することがあるので、飼主はマナーとして糞を持ち返えるためにスコップやビニール袋を持ち歩かなくてはならないが、スコップだと携帯に不便でリードを持つ手とで両手がふさがってしまうため危険だし、ビニール袋だとポケットに携帯しやすいが袋越しに糞に触るため不快だし、そもそも散歩の時にスコップやビニール袋を家に忘れてしまうと糞を持ち返ることができない。
【００１０】
特許文献１の従来技術では、発明品が糞で汚れるのが気になるし、携帯して散歩するには荷物になり不便さを感じる。
【００１１】
特許文献２の従来技術では、取り出しに時間がかかり排便に間に合わないことが考えられる。
【００１２】
特許文献３の従来技術では、ペットが下痢をしていて緩い糞を持ち返るには不便さを感じる。
【００１３】
特許文献４の従来技術では、取り出しに時間がかかり排便に間に合わないことが考えられる。
【００１４】
特許文献５の従来技術では、組立に時間がかかり排便に間に合わないことが考えられるし、手提げ袋のように持ち運ぶのでリードを持つ手とで両手がふさがってしまいお年寄りが持ち運んで使うには危険を伴う。
【課題を解決するための手段】
【００１５】
本発明は、厚紙などの板材の片方をすぼめて丸めたケースをマジックテープ（登録商標）などでリードに取り付けて、厚紙などの板材の一部に切れ目を設けて持ち手をすぼめて丸めたスコップをケースに収納し、ケースとスコップでポケット状になった中央の空間に袋を収納してペットの散歩の時に携帯してから、糞を取る時はスコップを取り出して袋に廃棄し、ストラップでリードに取り付けた持ち返り具に袋を取り付けて持ち返る。
【発明の効果】
【００１６】
ケースをリードに固定しているので、両手をふさがず安全で、ペットの散歩の時に忘れることがなく携帯に便利で、使用時の取り出しも短時間ですみスムースである。
【００１７】
ペットの排便時に素早くスコップを取り出せるので、ペットから直接糞を受けることができて排便場所を汚すことがなく、地面にある糞も簡単に回収できる。
【００１８】
軽量コンパクトでリードに固定できるので、ファッション性を損なわずペットの散歩をスマートに行なうことができる。
【００１９】
スコップと袋は、使い捨てなので糞が付いて汚れても気にならず、袋で糞を直接取らないので不快感がなく衛生的である。
【図面の簡単な説明】
【００２０】
【図１】本発明を構成する部品の展開図である。
【図２】本発明のケースの斜視図である。
【図３】本発明のスコップの斜視図である。
【図４】本発明のケースにスコップを収納した斜視図である。
【図５】図４に袋を収納した斜視図である。
【図６】本発明をリードに取り付けた説明図である。
【図７】本発明のスコップで糞をすくい取る斜視図である。
【図８】本発明のスコップで糞をつまみ取る斜視図である。
【図９】図６に糞と使用済スコップを入れた袋を取り付けた説明図である。
【図１０】本発明を伸縮リードに取り付けた説明図である。
【発明を実施するための形態】
【００２１】
図１にあるように、本発明は、厚紙などの板材でできたケース（１）と厚紙などの板材でできたスコップ（３）とマジックテープ（登録商標）（５）とストラップ（６）と持ち返り具（７）と袋（９）で構成する。
【００２２】
図１にあるように、持ち返り具（７）には、ストラップ（６）を取り付けるストラップ穴（２）と、糞（１１）を入れた袋（９）を持ち返るためのフック（８）を設ける。
【００２３】
図２にあるように、ケース（１）は、ストラップ穴（２）とは反対側をすぼめて丸めてから接着剤などで固定して成型し、ケース（１）の裏側にリード（１０）に固定するためのマジックテープ（登録商標）（５）を設けることができる。
【００２４】
図３にあるように、スコップ（３）は、切れ目（４）から持ち手をすぼめて丸めて成型し、切れ目（４）の反対側に湾曲を設けるので、スコップ（３）を厚紙で製作しても充分な強度を保持できる。
【実施例１】
【００２５】
図４にあるように、ケース（１）の内側に丸めたスコップ（３）を入れて収納する。
【００２６】
この時、ケース（１）の内側に収納するスコップ（３）は、重ねて複数個収納できる。
【００２７】
図５にあるように、図４のケース（１）とスコップ（３）でポケット状になった中央の空間に袋（９）を収納する。
【００２８】
この時、空間に収納する袋（９）は、重ねて複数枚収納できる。
【００２９】
図６にあるように、図５のケース（１）とスコップ（３）と袋（９）をマジックテープ（登録商標）（５）を使ってリード（１０）に固定し、ストラップ（６）を使って持ち返り具（７）もリード（１０）に取り付けているので、ペットの散歩の時にリード（１０）を持ち出せば糞取り具を忘れることはなく、さらにリード（１０）を持つ片手だけで持ち運べるので、両手をふさがず安全にペットの散歩ができる。
【００３０】
この時、糞取り具をリード（１０）に固定せずに、ストラップ（６）を使ってズボンのベルトなどに取り付けることもできる。
【００３１】
また、図５と図６にあるように、袋（９）を収納したポケット状の中央が通常上を向く構造のため、スコップ（３）や袋（９）が下に落下するリスクがない。
【実施例２】
【００３２】
図７にあるように、糞（１１）をすくい取る時は、スコップ（３）を取り出して広げてから使用する。
【００３３】
この時、ケース（１）をリード（１０）に固定しているので、ペットの排便時に素早くスコップ（３）を取り出せて糞（１１）をスムースに回収できる。
【００３４】
ペットの排便時に素早くスコップ（３）を取り出せるので、ペットから直接糞（１１）を受けることができて排便場所を汚すことがなく、地面にある糞（１１）も簡単に回収できる。
【００３５】
図８にあるように、糞（１１）をつまみ取る時は、スコップ（３）を取り出してトングのように使用する。
【００３６】
図９にあるように、図７または図８の糞（１１）とスコップ（３）を袋（９）に廃棄してから、持ち返り具（７）のフック（８）に袋（９）を取り付けて持ち返る。
【００３７】
この時、持ち返り具（７）のフック（８）に取り付けた袋（９）は取り外しが自由なので、ペットが複数回排便した時にも同じ袋（９）を使える。
【００３８】
本発明品は、使い捨てできるので、糞（１１）を持ち帰ったら、糞（１１）とスコップ（３）と袋（９）をまとめて廃棄する。
【００３９】
本発明品を使って帰宅した時は、次の使用に備えて新しいスコップ（３）と袋（９）をケース（１）に補充しておく。
【００４０】
図１にある、スコップ（３）と袋（９）を水溶性の材質にしてトイレに直接流せるようにすれば、散歩の途中で公衆トイレなどに糞（１１）と一緒に全部まとめて破棄できるので散歩が楽になる。
【００４１】
また、糞（１１）を水溶性の紙でつつんでトイレに直接流せるようしてから袋（９）に破棄すれば、散歩の途中で公衆トイレなどに糞（１１）を破棄できるので散歩が楽になる。
【実施例３】
【００４２】
複数個あるスコップ（３）を全部使い終わった場合、ケース（１）をスコップ（３）の代用として糞（１１）を回収できる。。
【実施例４】
【００４３】
図１０にあるように、図５のスコップ（３）と袋（９）が収納されたケース（１）をストラップ（６）で伸縮リード（１２）に取り付け、さらにストラップ（６）に持ち返り具（７）を取り付けてペットの散歩の時に携帯する。
【符号の説明】
【００４４】
１  ケース
２  ストラップ穴
３  スコップ
４  切れ目
５  マジックテープ（登録商標）
６  ストラップ
７  持ち返り具
８  フック
９  袋
１０  リード
１１  糞
１２  伸縮リード
【図１】
2015198622.tif 000003
【図２】
2015198622.tif 000004
【図３】
2015198622.tif 000005
【図４】
2015198622.tif 000006
【図５】
2015198622.tif 000007
【図６】
2015198622.tif 000008
【図７】
2015198622.tif 000009
【図８】
2015198622.tif 000010
【図９】
2015198622.tif 000011
【図１０】
2015198622.tif 000012